(57)【要約】【課題】ＰＬＣを備えた機械の運転状態に関する数値情報の処理が容易な情報処理システムを提供する。【解決手段】機械に設置したセンサにて検出する運転状態に関するアナログ信号を、ＰＬＣにて１６ビットのデジタル信号の数値情報に変換し、ネットワーク２００を介してサーバ装置４００で適宜取得して格納する。サーバ装置４００からあらかじめ設定した数値情報を端末装置５００に送信する。端末装置５００の所定の入力操作にて、倍率切換表示画面の表示に基づき、数値情報にそれぞれ対応して小数点桁位置に関する表示倍率を設定し、サーバ装置４００に適宜格納させ、小数点桁位置の情報を有しないデジタル信号の数値情報でも、設定した表示倍率に基づいて所定の小数点桁位置で表示させる。【選択図】  図１
2004312340.tif 000002
【特許請求の範囲】
【請求項１】
機械に設けられ前記機械から出力される運転状態に関するアナログ信号の数値情報をデジタル信号に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）から、前記デジタル信号の数値情報をネットワークを介して取得する信号取得手段と、
所定の入力操作を認識することにより前記信号取得手段にて取得した前記デジタル信号の数値情報の小数点桁位置を設定する桁位置設定手段と、
この桁位置設定手段にて設定された小数点桁位置で、前記数値情報を前記表示手段に表示させる表示制御手段と、
を具備したことを特徴とした情報処理装置。
【請求項２】
請求項１に記載の情報処理装置において、
所定の入力操作により所定の信号を出力する操作手段を具備し、
前記桁位置設定手段は、前記表示手段に前記操作手段による所定の入力操作にて前記小数点桁位置の設定を促し前記操作手段から出力される前記所定の信号に対応して前記小数点桁位置を表示させて設定する設定入力手段を備えた
ことを特徴とした情報処理装置。
【請求項３】
請求項１または請求項２に記載の情報処理装置において、
前記機械は、運転状態に関するアナログ信号の数値情報に基づいて運転状態を制御する制御手段を備え、
前記ＰＬＣは、前記アナログ信号の数値情報を、前記ネットワークを介して送受信させて前記表示手段に運転状態に関する数値情報として表示可能に、前記制御手段におけるビット数と同一のビット数で前記デジタル信号の数値情報に変換する
ことを特徴とした情報処理装置。
【請求項４】
請求項１ないし請求項３のいずれかに記載の情報処理装置と、
機械に設けられ前記機械から出力される運転状態に関するアナログ信号の数値情報を、前記情報処理装置の信号取得手段にて取得する前記デジタル信号の数値情報に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）と、
を具備したことを特徴とした情報処理システム。
【請求項５】
請求項４に記載の情報処理システムにおいて、
前記ＰＬＣから出力される前記デジタル信号の数値情報をネットワークを介して取得するとともに前記情報処理装置の信号取得手段にて取得可能に出力する通信手段と、前記ＰＬＣから取得した前記デジタル信号の数値情報を記憶する記憶手段と、を備えたサーバ装置を具備した
ことを特徴とした情報処理システム。
【請求項６】
機械に設けられ前記機械から出力される運転状態に関するアナログ信号の数値情報をデジタル信号の数値情報に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）と、
このＰＬＣから出力される前記デジタル信号の数値情報をネットワークを介して取得し、この取得した前記デジタル信号の数値情報を記憶する記憶手段を備えたサーバ装置と、
このサーバ装置に前記デジタル信号の数値情報を取得可能に前記ネットワークを介して接続され、前記取得したデジタル信号の数値情報を表示手段に表示させる際の小数点桁位置を設定可能な情報処理装置と、
を具備したことを特徴とした情報処理システム。
【請求項７】
請求項５または請求項６に記載の情報処理システムにおいて、
前記サーバ装置は、前記情報処理装置から前記設定された小数点桁位置に関する情報を取得して前記デジタル信号の数値情報に関連付けて前記記憶手段に記憶する
ことを特徴とした情報処理システム。
【請求項８】
機械に設けられ前記機械から出力される運転状態に関するアナログ信号の数値情報をデジタル信号に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）から、前記デジタル信号の数値情報をネットワークを介して取得して表示手段に表示させる情報処理方法であって、
所定の入力操作を認識することにより前記表示させる数値情報の小数点桁位置を設定し、
この設定した小数点桁位置で前記数値情報を前記表示手段に表示させる
ことを特徴とする情報処理方法。
【請求項９】
機械に設けられ前記機械から出力される運転状態に関するアナログ信号の数値情報をデジタル信号に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）から、ネットワークを介してサーバ装置で取得して蓄積し、前記サーバ装置から前記ネットワークを介して端末装置で前記デジタル信号の数値情報を取得して表示手段に表示させる情報処理方法であって、
前記端末装置における所定の入力操作の認識により前記表示手段に表示させる数値情報の小数点桁位置を設定し、
この設定した小数点桁位置で前記数値情報を前記表示手段に表示させる
ことを特徴とする情報処理方法。
【請求項１０】
請求項８または請求項９に記載の情報処理方法を演算手段に実行させる
ことを特徴とした情報処理プログラム。
【請求項１１】
請求項１０に記載の情報処理プログラムが演算手段にて読取可能に記録された
ことを特徴とした情報処理プログラムを記録した記録媒体。
【発明の詳細な説明】
【０００１】
【発明の属する技術分野】
本発明は、機械の運転状態に関する数値情報を処理する情報処理装置、そのシステム、その方法、そのプログラム、および、そのプログラムを記録した記録媒体に関する。
【０００２】
【背景技術】
従来、例えば射出成形機の稼働状況を自動的に制御する制御方法が知られている（例えば、特許文献１）。この特許文献１に記載のものは、成形運転前の基準波形を取得するためのふかし運転を低圧射出成形法により実施し、射出工程全域における射出速度の波形をサンプリングし、良品が得られる射出速度の波形を基準波形として記憶させる。そして、同一の成形を実施する場合には、あらかじめ記憶しておいた基準波形に基づいて成形し、例えば多種少量の生産でも、成形条件の設定を不要として製造効率の向上を図る構成が採られている。
【０００３】
そして、この特許文献１に記載のような機械の稼働状況を自動制御する場合の情報のやり取りとして、機械に設けたプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）を介して取得する構成が知られている（例えば、特許文献２）。この特許文献２に記載のものは、ＰＬＣを搭載した機械に着脱自在にメンテナンスユニットを設ける。そして、電話回線網を介してメンテナンスユニットをメーカ側のパソコンに接続し、機械の診断の際に電話回線網およびＰＬＣを介して機械のシーケンサに接続して、情報を送受信する構成が採られている。
【０００４】
【特許文献１】
特開２００１−１９１３８３号公報（第３頁左欄−右欄）
【特許文献２】
特開平９−１６３００８号公報（第３頁右欄−第５頁右欄）
【０００５】
【発明が解決しようとする課題】
ところで、ＰＬＣにて機械から取得したデータをデジタル信号に変更して送受信させる構成において、ＰＬＣは一般的に、例えば温度センサなどからのアナログ信号を、ＰＬＣに搭載した演算処理プログラムにより演算して整数値の１６ビットのデジタル信号に変換している。この１６ビットのデジタル信号を、その整数値が示す種別である機械の温度である旨の項目情報とともに、電話回線網などを介してパソコンで受信し、適宜デジタル信号を変換してあらかじめ作成した固定画面に表示させ、機械の診断などに利用している。一方、近年においては、このパソコンで取得したデジタル信号を例えば携帯電話などの携帯通信端末装置に転送し、携帯通信端末装置でも機械の稼働状態を確認できるようなシステムも考えられている。
【０００６】
しかしながら、アナログ信号を１６ビットで変換させた整数値のデジタル信号であることから、あらかじめ設定されたパソコンのプログラムにより、取得した整数値のデジタル信号が例えば小数点１桁までの数列の温度データの数列であることを認識して、固定画面に小数点１桁で表示させる処理をしている。このことにより、例えば温度データの代わりに小数点２桁の圧力データを変換させてパソコンなどで取得させて表示させる場合、ＰＬＣにてデジタル信号に変換させるプログラムやパソコンのプログラムを変更する必要があり、容易に送受信させる情報の変更ができず、汎用性の向上が図れない問題がある。
【０００７】
本発明は、上述したような点に鑑みて、プログラマブル・ロジック・コントローラを備えた機械の運転状態に関する数値情報の処理が容易な情報処理システム、その方法、そのプログラム、および、そのプログラムを記録した記録媒体を提供することを目的とする。
【０００８】
【課題を解決するための手段】
請求項１に記載の発明は、機械に設けられ前記機械から出力される運転状態に関するアナログ信号の数値情報をデジタル信号に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）から、前記デジタル信号の数値情報をネットワークを介して取得する信号取得手段と、所定の入力操作を認識することにより前記信号取得手段にて取得した前記デジタル信号の数値情報の小数点桁位置を設定する桁位置設定手段と、この桁位置設定手段にて設定された小数点桁位置で、前記数値情報を前記表示手段に表示させる表示制御手段と、を具備したことを特徴とした情報処理装置である。
【０００９】
この発明では、機械から出力される運転状態に関するアナログ信号の数値情報をＰＬＣでデジタル信号の数値情報に変換して出力させ、ネットワークを介して信号取得手段にて取得させる。そして、桁位置設定手段により、所定の入力操作を認識すると、取得したデジタル信号の数値情報の小数点桁位置を設定し、表示制御手段により、表示手段に表示させる数値情報を設定された小数点桁位置で表示させる。このことにより、例えばＰＬＣにて小数点桁位置の設定が困難な１６ビットでアナログ信号の数値情報をデジタル信号に変換してネットワークを介して送受信させる構成としても、表示手段に表示される数値情報が、利用者で認識する運転状態に関する数値情報に対応させて利用者が適宜設定した小数点桁位置で表示させればよく、１６ビットの簡単な構成の処理でも、実情に対応した小数点桁位置で数値情報が表示される。したがって、取得する運転状態に関する数値情報を他の運転状態に関する数値情報に変更するなどの場合に、ＰＬＣの構成を変更するなどをしなくても、小数点桁位置を設定することで実情に対応した表示が容易に得られ、処理構成の簡略化および汎用性の向上が容易に得られる。
【００１０】
請求項２に記載の発明は、請求項１に記載の情報処理装置において、所定の入力操作により所定の信号を出力する操作手段を具備し、前記桁位置設定手段は、前記表示手段に前記操作手段による所定の入力操作にて前記小数点桁位置の設定を促し前記操作手段から出力される前記所定の信号に対応して前記小数点桁位置を表示させて設定する設定入力手段を備えたことを特徴とする。
【００１１】
この発明では、桁位置設定手段の設定入力手段が促す操作手段による所定の入力操作にて操作手段から所定の信号が出力されると、設定入力手段はその所定の信号に対応して小数点桁位置を表示させて設定する。このことにより、簡単な構成で小数点桁位置が設定される。
【００１２】
請求項３に記載の発明は、請求項１または請求項２に記載の情報処理装置において、前記機械は、運転状態に関するアナログ信号の数値情報に基づいて運転状態を制御する制御手段を備え、前記ＰＬＣは、前記アナログ信号の数値情報を、前記ネットワークを介して送受信させて前記表示手段に運転状態に関する数値情報として表示可能に、前記制御手段におけるビット数と同一のビット数で前記デジタル信号の数値情報に変換することを特徴とする。
【００１３】
この発明では、機械の運転状態に関するアナログ信号の数値情報に基づいて運転状態を制御する制御手段におけるビット数と同一のビット数で、ＰＬＣによるアナログ信号の数値情報をデジタル信号の数値情報に変換させる。このことにより、制御手段で制御する際のビット数とＰＬＣによる数値情報の変換処理のビット数が同一となるので数値情報の互換が容易に採れ、ＰＬＣの処理構成の簡略化および安定した数値情報の変換処理が容易に得られる。
【００１４】
請求項４に記載の発明は、請求項１ないし請求項３のいずれかに記載の情報処理装置と、機械に設けられ前記機械から出力される運転状態に関するアナログ信号の数値情報を、前記情報処理装置の信号取得手段にて取得する前記デジタル信号の数値情報に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）と、を具備したことを特徴とした情報処理システムである。
【００１５】
この発明では、機械から出力される運転状態に関するアナログ信号の数値情報をＰＬＣで変換されて出力させるデジタル信号の数値情報を、処理構成の簡略化および汎用性の向上が容易に得られる請求項１ないし請求項３のいずれかに記載の情報処理装置にて取得させる。このことにより、機械の運転状態が例えば離間する位置の情報処理装置にて認識することが簡単な構成で容易に得られる。
【００１６】
請求項５に記載の発明は、請求項４に記載の情報処理システムにおいて、前記ＰＬＣから出力される前記デジタル信号の数値情報をネットワークを介して取得するとともに前記情報処理装置の信号取得手段にて取得可能に出力する通信手段と、前記ＰＬＣから取得した前記デジタル信号の数値情報を記憶する記憶手段と、を備えたサーバ装置を具備したことを特徴とする。
【００１７】
この発明では、ＰＬＣから出力されるデジタル信号の数値情報を、サーバ装置の通信手段にてネットワークを介して取得して記憶手段に記憶させ、通信手段によりデジタル信号の数値情報を情報処理装置の信号取得手段にてネットワークを介して取得可能に適宜出力させる。このことにより、例えば複数のデジタル信号の数値情報を統括的に管理する構成における端末としての情報処理装置で、数値情報を取得させる際の適切な小数点桁位置の数値情報の表示が簡単な構成で容易に得られる。さらに、例えば複数の情報処理装置毎に小数点桁位置が設定されることとなり、利便性が向上する。
【００１８】
請求項６に記載の発明は、機械に設けられ前記機械から出力される運転状態に関するアナログ信号の数値情報をデジタル信号の数値情報に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）と、このＰＬＣから出力される前記デジタル信号の数値情報をネットワークを介して取得し、この取得した前記デジタル信号の数値情報を記憶する記憶手段を備えたサーバ装置と、このサーバ装置に前記デジタル信号の数値情報を取得可能に前記ネットワークを介して接続され、前記取得したデジタル信号の数値情報を表示手段に表示させる際の小数点桁位置を設定可能な情報処理装置と、を具備したことを特徴とした情報処理システムである。
【００１９】
この発明では、機械から出力される運転状態に関するアナログ信号の数値情報をＰＬＣでデジタル信号の数値情報に変換して出力させ、ネットワークを介してサーバ装置に取得させ、記憶手段に適宜記憶させる。そして、ネットワークを介してサーバ装置に接続する情報処理装置にて、サーバ装置から取得したデジタル信号の数値情報を表示手段に表示させる際の小数点桁位置を設定する。このことにより、例えばＰＬＣにて小数点桁位置の設定が困難な１６ビットでアナログ信号の数値情報をデジタル信号に変換してネットワークを介して送受信させる構成としても、表示手段に表示される数値情報が、利用者で認識する運転状態に関する数値情報に対応させて利用者が情報処理装置で適宜設定した小数点桁位置で表示させればよく、１６ビットの簡単な構成の処理でも、実情に対応した小数点桁位置で数値情報が表示される。したがって、取得する運転状態に関する数値情報を他の運転状態に関する数値情報に変更する場合などに、ＰＬＣやサーバ装置の構成を変更するなどをしなくても、小数点桁位置を設定することで実情に対応した表示が容易に得られ、処理構成の簡略化および汎用性の向上が容易に得られる。さらに、利用者毎の設定も可能となり、利便性が向上する。
【００２０】
請求項７に記載の発明は、請求項５または請求項６に記載の情報処理システムにおいて、前記サーバ装置は、前記情報処理装置から前記設定された小数点桁位置に関する情報を取得して前記デジタル信号の数値情報に関連付けて前記記憶手段に記憶することを特徴とする。
【００２１】
この発明では、情報処理装置から設定された小数点桁位置に関する情報をサーバ装置で取得して、デジタル信号の数値情報に関連付けて記憶手段に記憶させる。このことにより、サーバ装置で小数点桁位置に関する情報が統括的に管理され、情報処理装置における負荷が低減して情報処理装置の小型軽量化が容易に図れる。
【００２２】
請求項８に記載の発明は、請求項１に記載の発明の情報処理装置を情報処理方法に展開したもので、機械に設けられ前記機械から出力される運転状態に関するアナログ信号の数値情報をデジタル信号に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）から、前記デジタル信号の数値情報をネットワークを介して取得して表示手段に表示させる情報処理方法であって、所定の入力操作を認識することにより前記表示させる数値情報の小数点桁位置を設定し、この設定した小数点桁位置で前記数値情報を前記表示手段に表示させることを特徴とする。このことにより、請求項１に記載の発明と同様の作用効果を享受する。
【００２３】
請求項９に記載の発明は、請求項６に記載の発明の情報処理システムを情報処理方法に展開したもので、機械に設けられ前記機械から出力される運転状態に関するアナログ信号の数値情報をデジタル信号に変換して出力するプログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）から、ネットワークを介してサーバ装置で取得して蓄積し、前記サーバ装置から前記ネットワークを介して端末装置で前記デジタル信号の数値情報を取得して表示手段に表示させる情報処理方法であって、前記端末装置における所定の入力操作の認識により前記表示手段に表示させる数値情報の小数点桁位置を設定し、この設定した小数点桁位置で前記数値情報を前記表示手段に表示させることを特徴とする。このことにより、請求項６に記載の発明と同様の作用効果を享受する。
【００２４】
請求項１０に記載の発明は、請求項８または請求項９に記載の情報処理方法を演算手段に実行させることを特徴とした情報処理プログラムである。
【００２５】
この発明では、例えば汎用のコンピュータなどを演算手段として利用しインストールすることにより請求項８または請求項９に記載の情報処理方法を演算手段に実行させることができ、本発明の利用促進を大幅に図ることができる。
【００２６】
請求項１１に記載の発明は、請求項１０に記載の情報処理プログラムが演算手段にて読取可能に記録されたことを特徴とした情報処理プログラムを記録した記録媒体である。
【００２７】
この発明では、請求項８または請求項９に記載の情報処理方法を実行させるための請求項１０に記載の情報処理プログラムを記録媒体に記録させるので、情報処理プログラムの取扱が容易で、本発明の利用促進を大幅に図ることができる。
【００２８】
なお、請求項１０に記載の発明、および、請求項１１に記載の発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含む。
【００２９】
【発明の実施の形態】
以下に、本発明の情報処理システムの一実施の形態を図面に基づいて説明する。なお、本実施の形態においては、本発明における機械としての製造機械として射出成形機を用い、この射出成形機における運転状態である製造状況を管理する構成を例示して説明する。ここで、製造機械としては、射出成形機に限らず、プレス成形機などの各種成形機、切削や加熱などの加工処理機、各種部品を組み立てる組立ロボットなどの組立装置など、各種製造装置を対象とすることができ、さらには機械として製造機械に限らずいずれの機械をも対象とすることができる。図１は情報処理システムを示す概略構成図である。図２は、センサからのアナログ信号をデジタル信号に変換する構成を示す概念図である。図３は、アナログ信号をデジタル信号に変換する演算状況を示す説明図である。
【００３０】
〔情報処理システムの構成〕
図１において、１００は情報処理システムで、この情報処理システム１００は、図示しない射出成形機の運転状態に関する数値情報を収集して処理するシステムである。この情報処理システム１００は、ネットワーク２００と、機械情報処理装置３００と、情報処理装置としても機能するサーバ装置４００と、情報処理装置としての端末装置５００と、を備えている。
【００３１】
ネットワーク２００は、例えばＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ）などの汎用のプロトコルに基づくインターネットやＬＡＮ（Ｌｏｃａｌ  Ａｒｅａ  Ｎｅｔｗｏｒｋ）などのイントラネットなどの各種計算機ネットワーク、いわゆる計算機ネットワーク２１０や、例えば無線媒体２２１を利用して通信アンテナ２２２を有した図示しない基地局を介して情報を送受信するための通信網である携帯電話網２２０などである。そして、このネットワーク２００には、機械情報処理装置３００と、サーバ装置４００と、端末装置５００と、が接続されている。例えば、機械情報処理装置３００とサーバ装置４００とが携帯電話網２２０を介して接続され、サーバ装置４００と端末装置５００とが計算機ネットワーク２１０を介して接続されている。なお、無線媒体２２１としては、赤外線などの光や音波、電波、電磁波などが例示できるが、いずれのものをも対象とすることができる。
【００３２】
機械情報処理装置３００は、図示しない射出成形機の運転状態を例えば１６ビットで制御する図示しない制御手段に接続され、運転状態に関する運転情報をネットワーク２００を介して送信可能に処理する。そして、機械情報処理装置３００は、プログラマブル・ロジック・コントローラ（Ｐｒｏｇｒａｍｍａｂｌｅ  Ｌｏｇｉｃ  Ｃｏｎｔｒｏｌｌｅｒ：ＰＬＣ）３１０と、送信手段３２０と、を備えている。
【００３３】
ＰＬＣ３１０は、射出成形機や制御手段から出力されるアナログ信号の運転情報である数値情報を取得し、デジタル信号に適宜変換する。例えば図２および図３に示すように、射出成形機に配設された温度センサや圧力センサなどの各種センサ３１１から出力されるアナログ信号の運転状態を、アナログ／デジタル（Ａ／Ｄ）変換器３１２にて、射出成形機の制御手段と同一の１６ビット（ｂｉｔ）のデジタル信号の数値情報に変換する。具体的には、０℃〜１００℃を検知して温度に対応してアナログ信号の数値情報である０〜１０ｍＶの電圧を出力する温度センサ３１１の場合、出力される電圧値に基づいて１６ビット換算値３１３ａを演算する。さらに、この１６ビット換算値を、携帯電話網２２０を介してサーバ装置４００に取得させて温度情報として表示させるための１６ビット換算値に変換する。
【００３４】
送信手段３２０は、ＰＬＣ３１０で変換した１６ビット換算値であるデジタル信号の数値情報をネットワーク２００である携帯電話網２２０を介してサーバ装置４００に送信させる。この送信手段３２０は、プロトコル変換器３２１と、通信端末装置３２２と、を備えている。プロトコル変換器３２１は、デジタル信号の数値情報を携帯電話網２２０を介してサーバ装置４００に送信可能にプロトコル変換する。通信端末装置３２２は、通信端末アンテナ３２２ａを有し、プロトコル変換器３２１で変換されたデジタル信号の数値情報を携帯電話網２２０を介してサーバ装置４００へ送信させる。
【００３５】
サーバ装置４００は、ネットワーク２００の携帯電話網２２０を介して機械情報処理装置３００から送信されるデジタル信号の数値情報を取得して適宜蓄積するとともに、取得したデジタル信号の数値情報を適宜処理し、射出成形機の運転状態を認識する。このサーバ装置４００は、図示しないサーバ本体と、サーバ入力手段と、サーバ表示手段と、を備えている。
【００３６】
サーバ入力手段は、例えばキーボードやマウスなど、サーバ本体に接続され、各種情報の入力操作により対応する所定の信号をサーバ本体へ出力してサーバ本体で各種情報を設定入力する。この設定入力は、キーボードなどの入力操作の他、タッチパネルや音声入力などとしてもよい。サーバ表示手段は、サーバ本体に接続され、サーバ本体から出力される画像データを適宜表示する。このサーバ表示手段は、例えば液晶パネルや有機ＥＬ（ｅｌｅｃｔｏｒｏｌｕｍｉｎｅｓｃｅｎｃｅ）パネル、ＰＤＰ（Ｐｌａｓｍａ  Ｄｉｓｐｌａｙ  Ｐａｎｅｌ）、ＣＲＴ（Ｃａｔｈｏｄｅ−Ｒａｙ  Ｔｕｂｅ）などが用いられる。
【００３７】
サーバ本体は、図示しない、サーバ演算手段と、記憶手段であるサーバ記憶手段と、を備えている。サーバ演算手段は、本情報処理システム１００を動作させるアプリケーションソフトウェアがインストールされ、サーバ装置４００全体を動作制御するＯＳ（Ｏｐｅｒａｔｉｎｇ  Ｓｙｓｔｅｍ）上に展開される各種プログラムとしての、図示しない信号取得手段、設定入力手段および表示制御手段などが構成され、運転情報を適宜処理する。そして、サーバ演算手段には、端末装置５００とネットワーク２００の計算機ネットワーク２１０を介して各種情報を送受信させる図示しない通信手段を有している。サーバ記憶手段は、図示しない、運転情報を蓄積すなわち記憶する運転情報データベースと、機械情報処理装置を特定する固有情報などの機械情報処理装置に関する機械情報データベースと、端末装置５００を特定する固有情報などの端末装置５００に関する端末装置データベースと、有している。
【００３８】
端末装置５００は、携帯電話やＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、汎用のパーソナルコンピュータなどで、図示しない、端末本体と、操作手段としての端末入力手段と、表示手段としての端末表示手段と、を備えている。端末入力手段は、例えばサーバ装置４００のサーバ入力手段と同様に、各種情報の入力操作により対応する所定の信号を端末本体へ出力し、端末本体で各種情報を設定入力する。端末表示手段は、例えばサーバ装置４００のサーバ表示手段と同様に、端末本体から出力される画像データを適宜表示する。
【００３９】
端末本体は、図示しない、端末演算手段と、端末記憶手段と、を備えている。端末演算手段は、情報処理システム１００を利用するためのアプリケーションソフトウェアがインストールされ、端末装置５００全体を動作制御するＯＳ（Ｏｐｅｒａｔｉｎｇ  Ｓｙｓｔｅｍ）上に展開されるプログラムとしての図示しない、端末通信手段と、設定入力手段と、表示制御手段と、を備えている。端末通信手段は、サーバ装置４００と計算機ネットワーク２１０を介して各種情報を送受信させる。設定入力手段は、端末入力手段から所定の入力操作に伴って出力される信号に基づいて、サーバ装置４００から取得するデジタル信号の数値情報を端末表示手段に所定の固定画面に表示させる際に、所定の小数点桁位置で表示させるための設定をする。すなわち、端末入力手段と設定入力手段としてに桁位置設定手段が構成される。表示制御手段は、設定入力手段で設定された小数点桁位置に関する情報に基づいて、デジタル信号の数値情報を表示手段に表示させる処理をする。
【００４０】
〔情報処理システムの具体的構成〕
次に、サーバ装置４００および端末装置５００の構成を具体的な処理形態を利用して図面を参照して説明する。図４は、パーソナルコンピュータでのウエッブブラウザによる画面表示で表示される問い合わせ表示画面を示す概念図である。図５は、同様の携帯電話での問い合わせ表示画面を示す概念図である。図６は、同様の名称切換表示画面を示す概念図である。図７は、同様の倍率切換表示画面を示す概念図である。なお、図４ないし図７に示すように、１つのＰＬＣ３１０からデジタル信号の数値情報を４つ取得する例示を用いて説明する。
【００４１】
サーバ装置４００のサーバ記憶手段は、上述したように、サーバ演算手段で設定された情報処理システム１００で管理する情報を蓄積する、運転情報データベースと、機械情報データベースと、端末装置データベースと、を備えている。なお、本実施の形態における具体的な構成の説明に際しては、１つのＰＬＣ３１０から数値情報を取得する例示であることから、射出成形機などの機械に関する情報を設定して機械情報データベースに格納させる説明は省略する。すなわち、複数のＰＬＣ３１０からそれぞれ数値情報を取得する場合には、後述する構成を各ＰＬＣ３１０毎に設定、例えばいずれのＰＬＣ３１０から取得した数値情報であるかを特定できるように、数値情報を機械情報と関連付けて機械情報データベースに格納させればよい。
【００４２】
具体的には、端末装置５００の端末入力手段による所定の入力操作により、端末演算手段で本情報処理システム１００を利用するためのアプリケーションソフトウェアを起動させるための、例えばウエッブブラウザによる画面表示などで表示される図示しないログイン画面が表示される。すなわち、このログイン画面に設けられたテキストボックス内に、あらかじめ設定されたＩＤ（ｉｄｅｎｔｉｆｉｃａｔｉｏｎ）番号やパスワードなどを設定入力することで、アプリケーションソフトウェアの起動により、各種データを設定入力するための各種表示画面に切り替える例えば図示しない複数のコマンドボタンを有したメニュー画面が表示される。
【００４３】
そして、メニュー画面の所定のコマンドボタンが入力操作されると、例えば図４に示すようなウエッブブラウザによる画面表示で表示される問い合わせ表示画面６００が表示される。ここで、図４は端末装置５００として例えばパーソナルコンピュータを用いた場合の画面表示の表示形態を示し、図５は端末装置５００として携帯電話を用いた場合の画面表示の表示形態を示す。
【００４４】
図４に示す問い合わせ表示画面６００には、メニュー画面と同様の複数のコマンドボタン６０１Ａ，６０１Ｂ，６０１Ｃ，６０１Ｄ，６０１Ｅ，６０１Ｆ，６０１Ｇが設けられている。すなわち、コマンドボタン６０１Ａは、入力操作により、この問い合わせ表示画面６００が表示される。コマンドボタン６０１Ｂは、入力操作により、別途ＰＬＣ３１０から送信されるデジタル信号の数値情報などを設定・変更するための図示しない設定・変更表示画面が表示される。コマンドボタン６０１Ｃは、入力操作により、ＰＬＣ３１０からデジタル信号の数値情報などを送信させて取得するための図示しないダウンロード表示画面が表示される。コマンドボタン６０１Ｄは、入力操作により、取得した数値情報などをグラフ表示させるための図示しないグラフ表示画面が表示される。コマンドボタン６０１Ｅは、入力操作により、取得した数値情報や数値情報に基づく各種案内に関する案内情報などを例えば電子メールにて端末装置５００へ送信するためのメールアドレスなどを設定する図示しないメール設定表示画面が表示される。この設定入力されたメールアドレスは、適宜サーバ装置４００へ送信され、別途設定入力された端末装置５００を特定する固有情報と関連付けられて１つのレコードとしてサーバ装置４００の端末装置データベースに格納、すなわち記憶される。コマンドボタン６０１Ｆは、入力操作により、情報を送受信する本情報処理システム１００における属性を設定するための図示しないモバイルアーク選択表示画面が表示される。コマンドボタン６０１Ｇは、入力操作により、本情報処理システム１００を利用するためのアプリケーションソフトウェアを停止、すなわちログアウトさせる。なお、図５に示す問い合わせ表示画面６００には、メニュー画面に切り替えるためのコマンドボタン６０１Ｈが設けられている。
【００４５】
また、図４に示す問い合わせ表示画面６００には、ＰＬＣ３１０から取得したデジタル信号の数値情報を、ＰＬＣ３１０から取得するデジタル信号の数値情報の順番に対応して関連付けられた通し番号と、名称と、小数点桁位置に関する情報である表示倍率とに対応させて表形式で表示する複数のテキストボックス６０２Ａ，６０２Ｂ，６０２Ｃ，６０２Ｄが設けられている。さらに、問い合わせ表示画面６００には、複数のコマンドボタン６０３Ａ，６０３Ｂ，６０３Ｃが設けられている。
【００４６】
コマンドボタン６０３Ａは、入力操作により、ＰＬＣ３１０で処理した最新のデジタル信号の数値情報を、ネットワーク２００を介してサーバ装置４００で取得させる。そして、その取得した数値情報がテキストボックス６０２Ａに表示される。コマンドボタン６０３Ｂは、入力操作により、端末演算手段やサーバ演算手段を構成する設定入力手段にて、テキストボックス６０２Ｂに表示させる名称を設定入力する例えば図６に示すウエッブブラウザによる画面表示で表示される名称切換表示画面６１０を表示させる。コマンドボタン６０３Ｃは、入力操作により、端末演算手段やサーバ演算手段を構成する設定入力手段にて、テキストボックス６０２Ｃに表示させる表示倍率を設定入力する例えば図７に示すウエッブブラウザによる画面表示で表示される倍率切換表示画面６２０を表示させる。なお、図５に示す問い合わせ表示画面６００には、図６に示す名称切換表示画面６１０や図７に示す倍率切換表示画面６２０のように、名称を設定するため、さらには表示倍率を設定するための画面表示に切り替えるためのコマンドボタン６０３Ｄが設けられている。
【００４７】
そして、端末演算手段やサーバ演算手段を構成する設定入力手段により表示される図６に示す名称切換表示画面６１０には、図４に示す問い合わせ表示画面６００と同様の複数のコマンドボタン６０１Ａ〜６０１Ｇが設けられている。また、名称切換表示画面６１０には、テキスト入力可能なテキストボックス６１１Ａが複数設けられている。これらテキストボックス６１１Ａは、ＰＬＣ３１０から取得するデジタル信号の数値情報の順番に対応して関連付けられた通し番号が表示されるテキストボックス６０２Ｂに対応して設けられている。
【００４８】
さらに、名称切換表示画面６１０には、テキストボックス６１１Ａに入力された名称のテキスト文書を設定入力するコマンドボタン６１２と、入力したテキスト文書をキャンセル、すなわち入力する前の状態にするコマンドボタン６１３とが設けられている。そして、コマンドボタン６１２の入力操作により、端末演算手段やサーバ演算手段を構成する設定入力手段が、ＰＬＣ３１０から送信されるデジタル信号の数値情報と、名称とが関連付けられて１つのレコードとして、適宜サーバ装置４００に送信されて運転情報データベースに格納、すなわち記憶される。
【００４９】
また、図７に示す倍率切換表示画面６２０には、図４に示す問い合わせ表示画面６００と同様の複数のコマンドボタン６０１Ａ〜６０１Ｇが設けられている。そして、倍率切換表示画面６２０には、図４に示す問い合わせ表示画面６００と同様のテキストボックス６０２Ｂ，６０２Ｃとともに、これらテキストボックス６０２Ｂ，６０２Ｃに対応して複数の表示倍率がリストアップ表示されるリストボックス６２１が複数設けられている。
【００５０】
さらに、端末演算手段やサーバ演算手段を構成する設定入力手段により表示される倍率切換表示画面６２０には、リストボックス６２１で選択入力されたリストを設定入力するコマンドボタン６２２と、選択入力したリストをキャンセル、すなわち入力する前の状態にするコマンドボタン６２３とが設けられている。コマンドボタン６２２の入力操作により、端末演算手段やサーバ演算手段を構成する設定入力手段が、デジタル信号の数値情報が関連付けられた名称と、表示倍率とが関連付けられて１つのレコードとして、適宜サーバ装置４００に送信されて運転情報データベースに格納、すなわち記憶される。
【００５１】
なお、上記設定入力は、サーバ装置４００のサーバ入力手段にて設定入力してもよい。
【００５２】
〔情報処理システムの動作〕
次に、上記情報処理システムの動作について図面を参照して説明する。図８は、サーバ装置４００と端末装置５００との数値情報の送受信および表示状況を説明する概念図である。
【００５３】
あらかじめ、機械情報処理装置とサーバ装置４００とを携帯電話網２２０を介して互いに情報を送受信可能に接続するとともに、サーバ装置４００と端末装置５００とを計算機ネットワーク２１０を介して互いに情報を送受信可能に接続する。さらに、サーバ装置４００にサーバ装置４００用のアプリケーションソフトウェアをインストールするとともに、端末装置５００に端末装置５００用のアプリケーションソフトウェアをインストールしておく。
【００５４】
そして、サーバ装置４００のアプリケーションソフトウェアを起動させ、ＰＬＣ３１０で処理するデジタル信号の数値情報などを取得可能に適宜設定、すなわち機械情報処理装置３００から所定の順番でプロトコル変換されて送信される数値情報を取得するための設定などを実施する。さらに、サーバ装置４００、あるいは端末装置５００で、サーバ装置４００から送信させるデジタル信号の数値情報を選択して設定する。
【００５５】
この後、射出成形機などの機械を駆動させ、各種センサ３１１にて検出して出力される機械の運転状態のアナログ信号を、ＰＬＣ３１０にて１６ビットのデジタル信号に変換する。そして、ＰＬＣ３１０は、サーバ装置４００のサーバ表示手段や端末装置５００の端末表示手段にて温度や圧力値などの数値情報として表示させるための１６ビット換算値に変換する。さらに、機械情報処理装置３００は、プロトコル変換器３２１により、１６ビット換算値のデジタル信号の数値情報を所定の配列でプロトコル変換する。すなわち、あらかじめ設定された順序である、例えば温度センサにて検出した温度、速度計で検出した速度、流量センサで検出した流量、音量計で検出した音量などの順のプロトコルに変換する。そして、プロトコル変換したデジタル信号の数値情報を、通信端末装置３２２にて携帯電話網２２０を介してサーバ装置４００に送信する。このデジタル信号の数値情報の送信は、例えばサーバ装置４００や端末装置５００であらかじめ設定した受信タイミングに関する条件に基づいて所定時間毎に送信、あるいは受信要求に基づいて送信するなど、適宜設定できる。
【００５６】
そして、サーバ装置４００は、サーバ演算手段にて機械情報処理装置３００から送信されるプロトコル変換されたデジタル信号の数値情報を順次読み取る。すなわち、あらかじめ設定された順序で順次取得し、サーバ記憶手段の運転情報データベースに格納する。また、サーバ演算手段は、図８に示すように、あらかじめ設定された端末装置５００に、端末装置データベースに記憶された端末装置５００に関する情報のアドレス情報に基づいて、取得した数値情報３１３のうちのあらかじめ設定された数値情報３１３を送信させる処理をする。この送信の際、端末装置データベースに記憶された端末装置５００に関する情報の表示倍率に関する情報も合わせて送信する。なお、端末装置５００の取得要求に基づいて送信させてもよい。
【００５７】
このサーバ装置４００から送信される数値情報を取得した端末装置５００は、端末演算手段により、数値情報とともに取得した表示倍率に関する情報に基づいて、問い合わせ表示画面６００のテキストボックス６０２Ａに表示させる。すなわち、小数点桁位置についての情報を有しないＰＬＣ３１０からの数値情報は、設定された表示倍率で小数点桁位置をずらして表示される。
【００５８】
また、サーバ装置４００から端末装置５００へ配信する数値情報を異なる数値情報に変更する設定をした場合、図７に示す倍率切換表示画面６２０にて表示倍率を設定すればよい。すなわち、テキストボックス６０２Ｃに表示される名称に対応して表示倍率を設定することで、小数点桁位置の情報を有しないＰＬＣ３１０からの数値情報が正しく表示されることとなる。
【００５９】
〔情報処理システムの作用効果〕
上述したように、上記実施の形態では、機械から出力される運転状態に関するアナログ信号の数値情報を、ＰＬＣ３１０でデジタル信号の数値情報に変換して出力させ、ネットワーク２００を介してサーバ装置４００のサーバ演算手段を構成する信号取得手段にて取得させる。そして、端末装置５００の桁位置設定手段により、所定の入力操作を認識すると、取得したデジタル信号の数値情報の小数点桁位置を設定し、端末演算手段やサーバ演算手段の表示制御手段により、端末表示手段やサーバ表示手段に表示させる数値情報を設定された小数点桁位置で表示させる。
【００６０】
このため、例えばＰＬＣ３１０にて小数点桁位置の設定が困難で、整数値の１６ビット換算値に変換されるアナログ信号の数値情報をデジタル信号に変換してネットワーク２００を介して送受信させる構成としても、端末表示手段やサーバ表示手段に表示される数値情報が、利用者で認識する運転状態に関する数値情報に対応させて利用者が適宜設定した小数点桁位置である表示倍率で表示させればよく、１６ビットの簡単な構成の変換処理でも、実情に対応した小数点桁位置で数値情報が表示される。したがって、取得する運転状態に関する数値情報を他の運転状態に関する数値情報に変更するなどの場合に、ＰＬＣ３１０の構成を変更したりアプリケーションソフトウェアの構成を変更するなどをしなくても、小数点桁位置である表示倍率を設定することで実情に対応した表示が容易に得られ、処理構成の簡略化および汎用性の向上を容易に得ることができる。
【００６１】
そして、数値情報の小数点桁位置である表示倍率の設定として、サーバ入力手段や端末入力手段による所定の入力操作にて、サーバ演算手段や端末演算手段を構成する設定入力手段が、倍率切換表示画面６２０で設定された内容で設定する。このため、ウエッブブラウザなどによる画面表示で表示される倍率切換費用次画面６２０を利用する簡単な構成で、小数点位置を容易に設定できる。
【００６２】
また、機械の運転状態に関するアナログ信号の数値情報に基づいて運転状態を制御する制御手段におけるビット数と同一のビット数で、ＰＬＣ３１０によるアナログ信号の数値情報をデジタル信号の数値情報に変換させる。すなわち、制御手段にて制御するビット数と同一のビット数でＰＬＣ３１０にてアナログ信号の数値情報をデジタル信号に変換させる。このため、制御手段とＰＬＣ３１０とにおける数値情報の互換が容易に採れ、ＰＬＣ３１０の処理構成の簡略化および安定した数値情報の変換処理を容易に得ることができる。
【００６３】
そして、機械の運転情報を収集して適宜処理させるサーバ装置４００にて統括的に数値情報を取得して端末装置５００で適宜取得させる構成としているため、機械から複数の数値情報を取得したり、複数の機械から数値情報を取得する構成などでも、適宜必要な数値情報を端末装置５００で取得させることが容易に得られ、取得する数値情報を他のものに切り替えて取得させることも容易にできる。さらに、端末装置５００で、設定した表示倍率に関する情報もサーバ装置４００に格納させることが容易にでき、端末装置５００に表示倍率に関する情報を格納する構成が不要となり、特に携帯電話などの情報の格納に制約がある構成でも容易に適用でき、利用の拡大が容易に図れる。
【００６４】
また、倍率切換表示画面６２０にて設定した表示倍率に関する情報を、その数値情報に関連付けて記憶させるので、一回設定することで、次回に同じ項目の数値情報を表示させる場合に改めて設定する必要がなく、利便性を向上できる。
【００６５】
〔実施の形態の変形〕
なお、本発明は、上述した各実施の形態に限定されるものではなく、本発明の目的を達成できる範囲で以下に示される変形をも含むものである。
【００６６】
すなわち、機械の運転状態として射出成形機を用いて説明したが、上述したように、機械としては、射出成形機に限らず、いずれの製造機械でもでき、さらには製造機械以外のいずれの装置や処理システムなどを機械として運転状態を管理する構成とすることもできる。また、射出成形機のような自動運転する機械に限らず、半自動運転あるいは手動運転するいずれの機械をも対象とすることができる。
【００６７】
そして、数値情報以外の運転状態に関する情報を送受信させる構成としてもよい。さらに、数値情報として運転状態に関するものに限らず、機械の動作に関したいずれの数値情報をも対象とすることができる。
【００６８】
また、運転情報をサーバ装置４００にて処理して統括管理するシステムに限らず、例えばサーバ表示手段やサーバ入力手段などを設けずサーバ装置４００が単に数値情報を格納するデータベース的な運用のみに利用する構成としてもよい。さらには、ＰＬＣ３１０から数値情報を端末装置５００にて直接取得させる構成としたり、サーバ装置４００を設けないシステム構成としてもよい。
【００６９】
そして、インストールして情報処理システム１００を構築して説明したが、コンピュータを用いずあらかじめ各種構成が構築された専用機械を利用してもよい
。
【００７０】
また、小数点桁位置に関する情報である表示倍率の情報を設定する構成としては、倍率切換表示画面６２０を用いる構成に限らず、いずれの方法で設定してもよい。また、倍率切換表示画面６２０の構成についても、図７に示すような構成に限られない。
【００７１】
さらに、各構成により表示される画面表示としてウエッブブラウザにより表示される表示画面として説明したが、各表示画面はウエッブブラウザによるものに限らず、いずれの方法により作成されるものでも対応できる。なお、ウェブブラウザによれば、例えば管理者がＰＤＡ（Ｐｅｒｓｏｎａｌ  Ｄｉｇｉｔａｌ  Ａｓｓｉｓｔａｎｃｅ）などの携帯通信端末を利用してインターネットなどから情報処理システム１００に接続して各表示画面を見るなどを可能とすることが容易となる。
【００７２】
また、上述したように、機械情報処理装置３００、サーバ装置４００および端末装置５００を接続するネットワーク２００の構成は、上述した計算機ネットワーク２１０および携帯電話網２２０により接続する構成に限らず、送受信可能にいずれの形態で接続させてもよい。
【００７３】
その他、本発明の実施の際の具体的な構造および手順は、本発明の目的を達成できる範囲で他の構造などに適宜変更できる。
【００７４】
【発明の効果】
本発明によれば、アナログ信号の数値情報をＰＬＣでデジタル信号の数値情報に変換しネットワークを介して取得させ、所定の入力操作にてデジタル信号の数値情報の小数点桁位置を設定させ、表示手段に表示させる数値情報を設定した小数点桁位置で表示させるため、例えばＰＬＣにて小数点桁位置の設定が困難な１６ビットで変換させる構成としても、表示される数値情報が利用者で認識する運転状態に関する数値情報に対応させて利用者が適宜設定した小数点桁位置で表示させればよく、１６ビットの簡単な構成の処理でも、実情に対応した小数点桁位置で数値情報を表示でき、取得する運転状態に関する数値情報を他の運転状態に関する数値情報に変更するなどの場合に、ＰＬＣの構成を変更するなどをしなくても、実情に対応した小数点桁位置で表示でき、処理構成の簡略化および汎用性の向上を容易に得ることができる。
【図面の簡単な説明】
【図１】本発明の一実施の形態における情報処理システムを示す概略構成図である。
【図２】前記一実施の形態におけるセンサからのアナログ信号をデジタル信号に変換する構成を示す概念図である。
【図３】前記一実施の形態におけるアナログ信号をデジタル信号に変換する演算状況を示す説明図である。
【図４】前記一実施の形態におけるパーソナルコンピュータでのウエッブブラウザによる画面表示で表示される問い合わせ表示画面を示す概念図である。
【図５】前記一実施の形態における携帯電話でのウエッブブラウザによる画面表示で表示される問い合わせ表示画面を示す概念図である。
【図６】前記一実施の形態におけるウエッブブラウザによる画面表示で表示される名称切換表示画面を示す概念図である。
【図７】前記一実施の形態におけるウエッブブラウザによる画面表示で表示される倍率切換表示画面を示す概念図である。
【図８】前記一実施の形態におけるサーバ装置と端末装置との数値情報の送受信および表示状況を説明する概念図である。
【符号の説明】
１００      情報処理システム
２００      ネットワーク
３１０      ＰＬＣ
４００      情報処理装置としてのサーバ装置
５００      情報処理装置としての端末装置
【図１】
2004312340.tif 000003
【図２】
2004312340.tif 000004
【図３】
2004312340.tif 000005
【図４】
2004312340.tif 000006
【図５】
2004312340.tif 000007
【図６】
2004312340.tif 000008
【図７】
2004312340.tif 000009
【図８】
2004312340.tif 000010